(57)【要約】      （修正有）【課題】太陽電池パネルが屋根に設置された際に発揮される性能の把握、及び屋根に太陽電池パネルが設置された後の外観イメージの把握といった両方を可能にすることのできる太陽電池パネル展示装置を提供する。【解決手段】展示のためのパイプテントとともに使用され、パイプテントの屋根の少なくとも一部を上方から覆うことのできる仮設屋根と、仮設屋根の表面に太陽電池パネルと、を備える。【選択図】図１
0003173879.tif 000002
【実用新案登録請求の範囲】
【請求項１】
展示のためのパイプテントとともに使用され、
前記パイプテントの屋根の少なくとも一部を上方から覆うことのできる仮設屋根と、
前記仮設屋根の表面に太陽電池パネルと、を備えた太陽電池パネル展示装置。
【請求項２】
前記パイプテントの広い方の開口部を正面視した際の左右方向を幅方向とし、幅方向に直交する方向を奥行方向としたとき、
前記奥行方向の手前側に、幅方向に離間し、幅方向に延びた軒桁材により上方で連結された一対の第一脚部を備えるとともに、前記奥行方向の奥側に、幅方向に離間し、幅方向に延びた棟材により上方で連結された一対の第二脚部を備え、前記幅方向の離間幅がいずれも前記パイプテントの幅方向の大きさよりも大きいことにより、当該離間してできた空間に前記パイプテントが正面視で収容され、
前記棟材及び前記軒桁材が、これらに直交し、かつ幅方向に離間して複数設けられた垂木材で互いに連結され、前記棟材が前記軒桁材よりも上方となることにより、前記垂木材が、前記棟材側の方が前記軒桁材側よりも高くなる傾斜を備え、
前記仮設屋根が、複数設けられた前記垂木材上に載置された請求項１記載の太陽電池パネル展示装置。
【考案の詳細な説明】
【技術分野】
【０００１】
本考案は、太陽電池パネルの展示装置に関する。
【背景技術】
【０００２】
近年、地球温暖化の進行を食い止めるために、炭酸ガス（ＣＯ２）の排出を抑制することが社会的に強く求められている。このような背景から、炭酸ガスを排出しないエネルギーシステムである太陽光発電が注目され、太陽電池パネル（太陽電池モジュールともいう。）を自己の家の屋根に設置して、そこから得られた電力を自家消費又は売電する一般家庭が増えつつある。
【０００３】
このような背景から、太陽電池パネルの設置業者や住宅販売会社らといった販売業者による一般家庭向けの太陽電池パネルの販売活動が盛んに展開されている。この際、販売業者は、太陽電池パネルについての専門知識を殆ど持たない一般消費者のために、様々な展示方法を駆使することにより販売しようとする太陽電池パネルの特長を伝える努力をしている。こうした展示方法の一例として、太陽電池パネルで発電された電力の大きさを電光掲示によって表示したり、実際に発電された電力を使用して家電製品を稼働させたりすること等が挙げられる。また、特許文献１には、屋根に太陽電池パネルが設置された際の外観を一般消費者がイメージしやすいように、瓦材と太陽電池パネルとを併設した携帯可能な屋根模型が提案されている。こうした展示を通して、一般消費者は、展示されている太陽電池の性能や、自己の家の屋根に太陽電池パネルが設置された様子を感じ取ることができ、その太陽電池パネルを購入するか否かの判断の助けとしている。
【先行技術文献】
【特許文献】
【０００４】
【特許文献１】特開２００７−９７９４０号公報
【考案の概要】
【考案が解決しようとする課題】
【０００５】
これらの展示は、いずれも、太陽電池パネルの備える性能、及び屋根に太陽電池パネルが設置された後の外観といった二点を別々に把握するためには有効であるが、これら二点を同時に把握するためには必ずしも有効でない。また、上記のような携帯可能な屋根模型により、一般消費者は、屋根に太陽電池パネルが設置された後の外観をイメージできたとしても、どのような工事により屋根に太陽電池パネルが設置されるのかまではイメージできないので、大事な自宅に対する設置工事への不安から太陽電池パネルの自宅への設置をためらうことも考えられる。
【０００６】
本考案は、以上の状況に鑑みてなされたものであり、太陽電池パネルが屋根に設置された際に発揮される性能の把握、及び屋根に太陽電池パネルが設置された後の外観イメージの把握といった両方を可能にすることのできる太陽電池パネル展示装置を提供することを課題とする。また、別の側面では、本考案は、どのような工事により屋根に太陽電池パネルが設置されるのかを一般消費者が容易に理解することのできる太陽電池パネル展示装置を提供することを課題とする。
【課題を解決するための手段】
【０００７】
本考案者らは、上記課題を解決するために鋭意検討を重ねた結果、屋外での展示の際に使用されるパイプテントの屋根部分の上方に仮設屋根を設置し、その仮設屋根の表面に実物の太陽電池パネルを展示用として設置することにより、展示用の太陽電池パネルで発電された電力を使用した発電量表示等の実演がパイプテント内で可能になるだけでなく、見学者が当該パイプテントの上方を見上げることによって、屋根に太陽電池パネルが設置された後のイメージを容易に把握できるようになることを見出した。また、そのような展示装置を使用することにより、仮設屋根に太陽電池パネルが設置される様を実演することが可能になるので、例えば、設置工事実演用の時間帯を設定した上で、当該時間帯の前に展示用の太陽電池パネルを取り外した上で、当該時間帯を使用して太陽電池パネルを実際に設置してみせることができる。これにより、展示を見学した一般消費者は、太陽電池パネルの設置によるメリットを理解するとともに、自宅の屋根に太陽電池パネルを設置することへの不安を解消できるので、太陽電池パネルを購入することへの意欲を増すことになると考えられる。より具体的には、本考案は次のようなものを提供する。
【０００８】
本考案は、展示のためのパイプテントとともに使用され、前記パイプテントの屋根の少なくとも一部を上方から覆うことのできる仮設屋根と、前記仮設屋根の表面に太陽電池パネルと、を備えた太陽電池パネル展示装置である。このような展示装置を使用することにより、上記の通り、展示を見学した一般消費者は、太陽電池パネルの設置によるメリットを理解するとともに、自宅の屋根に太陽電池パネルを設置することへの不安を解消できるので、太陽電池パネルを購入することへの意欲を増すことになると考えられる。
【０００９】
より具体的には、前記パイプテントの広い方の開口部を正面視した際の左右方向を幅方向とし、幅方向に直交する方向を奥行方向としたとき、前記奥行方向の手前側に、幅方向に離間し、幅方向に延びた軒桁材により上方で連結された一対の第一脚部を備えるとともに、前記奥行方向の奥側に、幅方向に離間し、幅方向に延びた棟材により上方で連結された一対の第二脚部を備え、前記幅方向の離間幅がいずれも前記パイプテントの幅方向の大きさよりも大きいことにより、当該離間してできた空間に前記パイプテントが正面視で収容され、前記棟材及び前記軒桁材が、これらに直交し、かつ幅方向に離間して複数設けられた垂木材で互いに連結され、前記棟材が前記軒桁材よりも上方となることにより、前記垂木材が、前記棟材側の方が前記軒桁材側よりも高くなる傾斜を備え、前記仮設屋根が、複数設けられた前記垂木材上に載置された太陽電池パネル展示装置であることを好ましく挙げることができる。本考案の太陽電池パネル展示装置がこのような構成を備えることにより、当該展示装置を組み立てたり解体したりすることが容易になるので、様々な場所で開催される展示会における各々の会場にて、当該展示装置を使用して太陽電池パネルの展示を行うことができる。また、展示装置を組み立てたり解体したりすることが容易であるので、本考案の太陽電池パネル展示装置をキット化して運搬したり販売したりすることも可能となる。
【考案の効果】
【００１０】
本考案によれば、太陽電池パネルが屋根に設置された際に発揮する性能の把握、及び屋根に太陽電池パネルが設置された後の外観イメージの把握といった両方を可能にすることのできる太陽電池パネル展示装置が提供される。また、別の側面では、本考案によれば、どのような工事により屋根に太陽電池パネルが設置されるのかを一般消費者が容易に理解することのできる太陽電池パネル展示装置が提供される。
【図面の簡単な説明】
【００１１】
【図１】本考案の太陽電池パネル展示装置の一実施形態を示す斜視図である。
【図２】本考案の太陽電離パネル展示装置の一実施形態を模式的に示す正面図である。
【図３】本考案の太陽電池パネル展示装置の一実施形態を模式的に示す平面図である。
【図４】本考案の太陽電池パネル展示装置の一実施形態を模式的に示す側面図である。
【図５】本考案の太陽電池パネル展示装置の一実施形態における仮設屋根部分の構造を示す模式図である。
【考案を実施するための形態】
【００１２】
以下、図面を参照しながら、本考案の一実施形態を説明する。なお、以下に述べる実施形態は本考案の一例であり、本考案は以下の実施形態に何ら限定されるものではない。
【００１３】
図１は、本考案の太陽電池パネル展示装置１の一実施形態を示す斜視図である。図２は、本考案の太陽電離パネル展示装置１の一実施形態を模式的に示す正面図である。図３は、本考案の太陽電池パネル展示装置１の一実施形態を模式的に示す平面図である。図４は、本考案の太陽電池パネル展示装置１の一実施形態を模式的に示す側面図である。図５は、本考案の太陽電池パネル展示装置１の一実施形態における仮設屋根３部分の構造を示す模式図である。
【００１４】
本実施形態の太陽電池パネル展示装置１は、太陽電池パネル４の実演展示のために使用され、主に屋外展示のために使用されるパイプテント９とともに使用される。この場合、太陽電池パネル展示装置１に設けられた太陽電池パネル４で発電された電力を、適切な電力線（図示せず）及び適切なパワーコンディショナ（図示せず）を使用してパイプテント９の下部空間（以下、「パイプテント９の内部」とも呼ぶ。）へ引き込み、パイプテント９の内部に設けられた展示スペース（図示せず）にてその電力を使用した各種展示を行うことができる。
【００１５】
このような展示の一例としては、太陽電池パネル４で得られた電力量をリアルタイムに数字で表すことのできる電力モニタを使用して発電中の電力量を表示することや、太陽電池パネル４で得られた電力によってテレビジョン受信装置等の家電製品を稼働させることを挙げられるが、特に限定されない。太陽電池パネル展示装置１は、太陽光による発電が可能な屋外で使用されることにより、家庭等の屋根における太陽光発電によるメリットを一般消費者に対してより具体的に訴求することが可能となるが、展示される太陽電池パネル４は適切な量の光さえあれば発電をすることができるので、明るい屋内で使用されても構わない。
【００１６】
また、太陽電池パネル展示装置１では、実際の家屋における屋根を模した後述の仮設屋根３の表面に太陽電池パネル４を設置して展示するので、展示に接した一般消費者は、自宅の屋根に太陽電池パネルが設置された後の状況を容易に想像することができる。
【００１７】
太陽電池パネル展示装置１は、屋根シート９１とテント脚９２とを備えるパイプテント９の上方にて、パイプテント９と重なるように使用される。具体的には、太陽電池パネル展示装置１に含まれる後述の仮設屋根３が、パイプテント９の屋根シート９１の上方に重なるように設置されて使用される。これにより、例えば各社が参加する集合展示会等で、自社の展示スペースとしてパイプテント一基分のみという限られたスペースしか割り当てられなかった場合であっても、仮設屋根３と実際の太陽電池パネル４とを使用した展示を行いつつ、パイプテント９の内部では、製品の説明や上記各種展示を行うことが可能になる。なお、パイプテント９としては、通常、屋外や屋内の展示に使用されたり、運動会における日よけ等として使用されたりするものを例示することができる。
【００１８】
次に、太陽電池パネル展示装置１の構成について説明する。太陽電池パネル展示装置１は、仮設屋根３と、仮設屋根３の表面に設置された太陽電池パネル４とを備える。仮設屋根３は、パイプテント９における屋根シート９１の手前側半面を上方から覆うように設置される。すなわち、仮設屋根３は、パイプテント９における屋根シート９１の上方に設置されることになる。そして、太陽電池パネル展示装置１には、仮設屋根３をパイプテント９における屋根シート９１の上方に設置するために、仮設屋根３を支えるための脚部６３、第一脚部６３ａ、第二脚部６３ｂ、軒桁材６１、棟材６２及び垂木材２が設けられる。また、太陽電池パネル展示装置１には、脚部６３、第一脚部６３ａ、第二脚部６３ｂ、軒桁材６１及び棟材６２を補強するとともに高所作業者の転落を防止するために、下側直管６４及び上側直管６５が設けられる。軒桁材６１、棟材６２、下側直管６４、上側直管６５、並びに脚部６３、第一脚部６３ａ及び第二脚部６３ｂのうちの脚材６３１、脚材６３１ａ及び脚材６３１ｂとしては、足場材として常用される金属製の単管パイプが使用される。
【００１９】
以下の説明では、パイプテント９の広い方の開口部を正面視した際の左右方向を幅方向と呼び、幅方向に直交する方向を奥行き方向と呼ぶ。
【００２０】
仮設屋根３は、下方から合板３３、防水シート３２及び屋根材３１が順次重ね合わせられて形成される。屋根材３１は、仮設屋根３の表面を葺くものであり、日本瓦、洋瓦、セメント瓦、スレート瓦、金属瓦、トタン板瓦等といったものが例示される。そして、仮設屋根３は、図５に示すように、互いに平行である棟材６２及び軒桁材６１の間に、棟材６２及び軒桁材６１に直交しかつ幅方向に離間して複数設けられた垂木材２の上に載置され固定される。垂木材２は、垂木クランプ６８を介して棟材６２及び軒桁材６１の上に固定される。垂木材２としては、角材を好ましく例示できるが特に限定されない。なお、図５では、仮設屋根３の表面に太陽電池パネル４が設けられているがこれについては後述する。また、仮設屋根３の下方には、パイプテント９の屋根シート９１が存在する。
【００２１】
棟材６２は、パイプテント９の最も高い部分（棟部分）に沿って設けられ、軒桁材６１は、パイプテント９の軒部分に沿って設けられる。つまり、棟材６２は、軒桁材６１よりも高い位置（すなわち上方）に設けられることになり、棟材６２及び軒桁材６１の上に固定される各垂木材２は、棟材６２側の方が軒桁材６１側よりも高くなる傾斜を備える。これにより、各垂木材２の上に載置された仮設屋根３もまた、家屋における屋根と同様に、棟側から軒桁側に向かって低くなる傾斜を備えることになる。
【００２２】
パイプテント９の奥行方向の手前側には、幅方向に離間した一対の第一脚部６３ａ、６３ａが設けられる。この離間幅は、パイプテント９の幅方向の大きさよりも大きくなるように設定され、一対の第一脚部６３ａ、６３ａは、パイプテント９の軒先付近を外側から挟むように設置される。そして、一対の第一脚部６３ａ、６３ａは、パイプテント９の軒先付近の高さで、連結材６９を介して軒桁材６１によって互いに連結される。よって、軒桁材６１は、パイプテント９の軒先に設けられることになる。なお、第一脚部６３ａは、安全カバー６３２ａで下方部分が覆われた脚材６３１ａからなる。
【００２３】
パイプテント９の奥行方向の奥側には、幅方向に離間した一対の第二脚部６３ｂ、６３ｂが設けられる。この離間幅は、パイプテント９の幅方向の大きさよりも大きくなるように設定され、一対の第二脚部６３ｂ、６３ｂは、パイプテント９の棟（屋根シート９１の最も高くなった部分）付近を外側から挟むように設置される。そして、一対の第二脚部６３ｂ、６３ｂは、パイプテント９の棟付近であって棟よりも高い位置となる高さで、連結材６９を介して棟材６２によって互いに連結される。よって、棟材６２は、パイプテント９の棟付近であって棟よりも高い位置に設けられることになる。なお、第二脚部６３ｂは、安全カバー６３２ｂで下方部分が覆われた脚材６３１ｂからなる。
【００２４】
上記のように、幅方向に離間した一対の第一脚部６３ａ、６３ａ及び幅方向に離間した一対の第二脚部６３ｂ、６３ｂは、いずれもパイプテント９を外側から挟むように設置される。そのため、一対の第一脚部６３ａ、６３ａ及び一対の第二脚部６３ｂ、６３ｂがそれぞれ離間してできた空間には、パイプテント９が正面視で収容されることになる。
【００２５】
また、パイプテント９の周囲には、上記の軒桁材６１及び棟材６２を支えるために、脚部６３に連結された下側直管６４が設けられる。この下側直管６４は、軒桁材６１と同じ高さで設けられ、連結材６９を介して軒桁材６１と連結される他、連結材６９を介して他の下側直管６４と連結される。これにより、軒桁材６１、棟材６２及び下側直管６４で櫓（やぐら）が形成され、太陽電池パネル展示装置１の転倒が防止される。なお、脚部６３は、安全カバー６３２で下方部分が覆われた脚材６３１からなる。
【００２６】
軒桁材６１の外側には、仮設屋根３への太陽電池パネル４の設置実演を作業員が行うことができるように、踏板７が設けられる。そして、踏板７の一部には、作業員が踏板７に到達することができるように、梯子８に連結された開口部が設けられる。踏板７は、軒桁材６１又は踏板７の外周に設けられた下側直管６４と連結材（図示せず）を介して連結される。
【００２７】
一部の脚部６３、及び第二脚部６３ｂの上端には、連結材６９を介して上側直管６５が連結される。上側直管６５が存在することにより、作業員の転落事故が防止されるとともに、軒桁材６１、棟材６２及び下側直管６４で形成された櫓がさらに強固なものとなり、太陽電池パネル展示装置１の転倒が防止される。
【００２８】
第二脚部６３ｂの上端には、パイプテント９の棟に沿って親綱６７が設けられる。親綱６７は、仮設屋根３上で作業する作業員の安全を確保するために使用される。
【００２９】
仮設屋根３の上面には、架台（縦ラック）５を介して太陽電池パネル４が設置される。太陽電池パネル４は、太陽光又は照明光を受けて電力を発生させる。既に説明したように、これにより得られた電力を使用してパイプテント９の内部で各種展示を行うことができる。
【００３０】
本考案の太陽電池パネル展示装置１を使用して太陽電池パネル４を実演展示することにより、展示に接した一般消費者は、太陽電池パネル４が屋根に設置された際に発揮される性能を把握するのと同時に、自宅の屋根に太陽電池パネルが設置された後の外観イメージを容易に把握することができる。また、本考案の太陽電池パネル展示装置１を使用することにより、実際に作業員が仮設屋根３の表面に太陽電池パネル４を設置する実演を一般消費者の前で行うことができるので、展示に接した一般消費者は、どのような工事により自宅の屋根に太陽電池パネルが設置されるのかを容易に把握することができ、自宅の屋根に太陽電池パネルを設置することへの不安が解消される。これらの効果が相まって、展示に接した一般消費者は、展示された太陽電池パネルを購入し自宅の屋根に設置することへの意欲を増加させることになる。
【００３１】
また、本考案の太陽電池パネル展示装置１は、組み立て及び解体が容易であるので、これをキット化して運搬することにより、様々な場所で開催される展示会における各々の会場にて太陽電池パネルの展示のためにこれを使用することができる。また、当該キットを太陽電池パネルの販売業者向けに販売することも可能である。
【００３２】
以上、本考案の太陽電池パネル展示装置の一実施形態を示すことにより本考案を具体的に説明したが、本考案は、上記の実施形態に限定されるものではなく、本考案で規定される範囲にて適宜変更して実施することができる。
【００３３】
例えば、上記実施形態では作業員が作業をするための踏板７が設置されたが、踏板７は必ずしも存在しなくてもよいし、作業員が作業をするための別の手段が存在していてもよい。
【符号の説明】
【００３４】
１      太陽電池パネル展示装置
２      垂木材
３      仮設屋根
４      太陽電池パネル
６１    軒桁材
６２    棟材
６３ａ  第一脚部
６３ｂ  第二脚部
９      パイプテント
【図１】
0003173879.tif 000003
【図２】
0003173879.tif 000004
【図３】
0003173879.tif 000005
【図４】
0003173879.tif 000006
【図５】
0003173879.tif 000007